(57)【特許請求の範囲】
【請求項１】
ケースの貫通孔に配置されて外部と通気する通気部を有するガイド部材と、
前記ガイド部材内にスライド可能に配置された操作部材と、
前記操作部材と前記ガイド部材との間に設けられた防水部材と、
前記ガイド部材の通気部と前記ケースとの間に配置された通気フィルタと、
を備えているスイッチ装置。
【請求項２】
請求項１に記載のスイッチ装置において、前記防水部材は、前記操作部材又は前記ガイド部材に設けられていることを特徴とするスイッチ装置。
【請求項３】
請求項１又は請求項２に記載のスイッチ装置において、前記通気フィルタは、前記ガイド部材の外周面に装着され、前記ガイド部材と共に前記ケースの貫通孔に嵌め込まれることを特徴とするスイッチ装置。
【請求項４】
ケースの貫通孔に配置されて外部と通気する通気部を有するガイド部材と、
前記ガイド部材内にスライド可能に配置されて防水性を備える操作部と、
前記操作部と前記ケースとの間に配置された通気フィルタと、
を備えているスイッチ装置。
【請求項５】
請求項１〜請求項４のいずれかに記載されたスイッチ装置を備えていることを特徴とする時計。
【発明の詳細な説明】
【技術分野】
【０００１】
この発明は、時計、携帯電話機、携帯端末機などの電子機器に用いられるスイッチ装置およびそれを備えた時計に関する。
【背景技術】
【０００２】
例えば、腕時計のスイッチ装置においては、特許文献１に記載されているように、腕時計ケースの取付孔に取付パイプを嵌め込み、この取付パイプに釦部材の軸部をスライド可能に挿入し、この取付パイプから外部に突出する釦部材の軸部およびこの軸部の外端部の頭部を防水シートで覆い、この防水シートを腕時計ケースの外面に固定部材によって取り付けることにより、防水性を図った構成のものが知られている。
【先行技術文献】
【特許文献】
【０００３】
【特許文献１】特開２００９−１３３８５９号公報
【０００４】
この種のスイッチ装置は、防水シートがウレタン樹脂やシリコーン樹脂などの軟質の合成樹脂で形成され、釦部材が押圧操作された際に、その押圧操作に応じて防水シートが弾性変形し、この防水シートの弾性変形に伴って釦部材がスライドすることにより、腕時計ケース内のスイッチ接点をスイッチ動作させるように構成されている。
【発明の概要】
【発明が解決しようとする課題】
【０００５】
しかしながら、このようなスイッチ装置では、防水シートの肉厚が厚いと、防水シートが弾性変形し難く、釦部材を押圧操作する際の押圧荷重が重くなるため、釦部材の操作性が低下するという問題がある。また、防水シートの肉厚が薄いと、防水シートが弾性変形し易くなるが、防水シートが破損し易くなるため、防水性を確保することが難しくなるという問題がある。さらに、防水シートが軟質の合成樹脂であるため、防水シートの肉厚が厚くても、また薄くても、劣化し易いという問題がある。
【０００６】
この発明が解決しようとする課題は、防水性を確保し、かつ操作性の向上を図ることができるスイッチ装置およびそれを備えた時計を提供することである。
【課題を解決するための手段】
【０００７】
この発明は、ケースの貫通孔に配置されて外部と通気する通気部を有するガイド部材と、前記ガイド部材内にスライド可能に配置された操作部材と、前記操作部材と前記ガイド部材との間に設けられた防水部材と、前記ガイド部材の通気部と前記ケースとの間に配置された通気フィルタと、を備えているスイッチ装置である。
【発明の効果】
【０００８】
この発明によれば、防水性を確保し、かつ操作性の向上を図ることができる。
【図面の簡単な説明】
【０００９】
【図１】この発明を腕時計に適用した第１実施形態を示した拡大正面図である。
【図２】図１に示された腕時計のＡ−Ａ矢視における要部の拡大断面図である。
【図３】図２に示されたスイッチ装置を分解して示した拡大斜視図である。
【図４】図３に示されたスイッチ装置を腕時計ケース側から見て示した分解斜視図である。
【図５】図２に示されたスイッチ装置のＢ−Ｂ矢視における拡大断面図である。
【図６】この発明を腕時計に適用した第２実施形態において、スイッチ装置を示した拡大断面図である。
【図７】図６に示されたスイッチ装置を分解して示した拡大斜視図である。
【図８】図７に示されたスイッチ装置を腕時計ケース側から見て示した分解斜視図である。
【図９】図６に示されたスイッチ装置のＣ−Ｃ矢視における拡大断面図である。
【図１０】図７に示されたスイッチ装置のガイド部材を示し、（ａ）はそのガイド部材を腕時計ケース側から見た拡大側面図、（ｂ）はそのＤ−Ｄ矢視における拡大半断面図である。
【発明を実施するための形態】
【００１０】
（第１実施形態）
以下、図１〜図５を参照して、この発明を腕時計に適用した第１実施形態について説明する。
この腕時計は、図１および図２に示すように、腕時計ケース１を備えている。この腕時計ケース１は、本体ケース２と外装ケース３とによって構成されている。本体ケース２は、硬質の合成樹脂または金属によって形成されている。外装ケース３は、軟質の合成樹脂からなり、本体ケース２の外周にこれを覆って取り付けられるように構成されている。
【００１１】
この腕時計ケース１の上部開口部、つまり本体ケース２の上部開口部には、図２に示すように、時計ガラス４がパッキン４ａを介して取り付けられている。この場合、時計ガラス４の上面における外周縁は、外装ケース３によって覆われている。また、この腕時計ケース１の下部、つまり本体ケース２の下部には、裏蓋５が防水リング５ａを介して取り付けられている。
【００１２】
この腕時計ケース１の内部、つまり本体ケース２の内部には、図２に示すように、時計モジュール６が配置されている。この時計モジュール６は、指針を駆動するための時計ムーブメントや、時刻などの情報を電気光学的に表示する表示パネルなど、時計機能に必要な各種の部品（いずれも図示せず）を備えている。
【００１３】
また、この腕時計ケース１の１２時側と６時側との各側部には、図１に示すように、バンド取付部７がそれぞれ外部に突出して設けられている。さらに、この腕時計ケース１の３時側の側部には、スイッチ装置８が設けられており、この腕時計ケース１の２時側、４時側、８時側、および１０時側の各側部には、押釦スイッチ９がそれぞれ設けられている。
【００１４】
スイッチ装置８は、図２〜図５に示すように、腕時計ケース１の側壁部に設けられた貫通孔１０にスライド可能に挿入されて腕時計ケース１の外部に突出する操作部材１１を備えている。貫通孔１０は、本体ケース２の内部側に形成された小径孔部１２と、本体ケース２の外部側に形成された大径孔部１３と、外装ケース３に形成された外装孔部１４と、を有している。
【００１５】
この場合、貫通孔１０の小径孔部１２は、図２および図５に示すように、第１小径孔部１２ａと第２小径孔部１２ｂとを有している。第１小径孔部１２ａは、本体ケース２の内部側に形成されている。第２小径孔部１２ｂは、本体ケース２の外部側に形成されている。この第２小径孔部１２ｂは、その内径が第１小径孔部１２ａの内径よりも大きく、かつ大径孔部１３の内径よりも小さく形成されている。この小径孔部１２は、その軸方向の長さが本体ケース２の側壁の肉厚のほぼ半分程度の長さに形成されている。
【００１６】
また、貫通孔１０の大径孔部１３は、図２および図５に示すように、小径孔部１２の第２小径孔部１２ｂの内径よりも大きく形成されている。この大径孔部１３は、その軸方向の長さが小径孔部１２の軸方向の長さとほぼ同じか、それよりも少し短く形成されている。これにより、貫通孔１０は、小径孔部１２の第２小径孔部１２ｂと大径孔部１３との境界部に段差部１５が設けられた構成になっている。
【００１７】
さらに、貫通孔１０の外装孔部１４は、図２および図５に示すように、その内径が大径孔部１３の内径よりも少し小さく形成されている。この外装孔部１４の周囲における円周方向の両側部に位置する外装ケース３の外面には、後述する操作部材１１の頭部１８を保護する保護突起部１６が、腕時計ケース１の外部に向けて突出して設けられている。
【００１８】
一方、操作部材１１は、図２〜図５に示すように、本体ケース２の貫通孔１０の小径孔部１２にスライド可能に挿入される軸部１７と、この軸部１７の外端部に設けられて貫通孔１０の大径孔部１３および外装孔部１４の両方の内部に跨った状態でスライド可能に配置される頭部１８と、を有している。
【００１９】
軸部１７は、図２および図５に示すように、その外径が小径孔部１２の第１小径孔部１２ａの内径とほぼ同じ大きさで、軸方向の長さが小径孔部１２と大径孔部１３との両方の軸方向の長さよりも少し長く形成されている。これにより、軸部１７は、貫通孔１０の小径孔部１２に挿入された際に、その内端部が本体ケース２の内部に突出し、外端部が大径孔部１３の外端部に位置するように構成されている。
【００２０】
この場合、本体ケース２の内部に突出した軸部１７の内端部には、図２および図５に示すように、Ｅリングなどの抜止め部材１９が取り付けられている。これにより、軸部１７は、抜止め部材１９が貫通孔１０の小径孔部１２における第１小径孔部１２ａの内端部の周囲に位置する本体ケース２の内周面に接離可能に当接することにより、本体ケース２の外部に抜け出さないように構成されている。
【００２１】
また、この軸部１７は、図２および図５に示すように、その内端部が本体ケース２内の時計モジュール６に設けられたスイッチ接点部６ａに接離可能に対応するように構成されている。これにより、軸部１７は、頭部１８の押圧操作に応じて、内端部が本体ケース２内に突出してスイッチ接点部６ａを押圧することにより、スイッチ接点部６ａをスイッチ動作させるように構成されている。
【００２２】
さらに、この軸部１７は、図２および図５に示すように、その外周面に複数の防水リング２０が圧接した状態で摺動するように構成されている。すなわち、複数の防水リング２０は、貫通孔１０の小径孔部１２における第２小径孔部１２ｂ内にそれぞれ環状に設けられている。これにより、複数の防水リング２０は、軸部１７の外周面に摺動可能に圧接し、この状態で軸部１７のスライド動作に伴って軸部１７の外周面が摺動するように構成されている。
【００２３】
また、この軸部１７の外端部には、図２〜図４に示すように、頭部１８が一体に設けられている。この頭部１８は、全体がほぼ円筒状に形成され、貫通孔１０の大径孔部１３と外装孔部１４との両方に跨って配置されるように構成されている。すなわち、この頭部１８は、その軸方向の長さが大径孔部１３の軸方向の長さと外装孔部１４の軸方向の長さとの両方の長さとほぼ同じ長さに形成されている。
【００２４】
これにより、頭部１８は、図２および図５に示すように、軸部１７の抜止め部材１９が本体ケース２の内周面に当接した際に、大径孔部１３内から外装孔部１４内に向けて押し出されることにより、頭部１８の内端部１８ａが貫通孔１０の段差部１５から離れた状態で配置されると共に、頭部１８の外端部１８ｂが外装孔部１４から腕時計ケース１の外部に向けて押し出されて腕時計ケース１の外部に突出するように構成されている。
【００２５】
また、この頭部１８は、図２および図５に示すように、腕時計ケース１の外部から押し込まれて軸部１７の抜止め部材１９が本体ケース２の内周面から離れて、軸部１７の内端部が時計モジュール６のスイッチ接点部６ａを押圧した際に、頭部１８の内端部１８ａが大径孔部１３内に押し込まれて段差部１５に接近した位置に配置されると共に、頭部１８の外端部１８ｂが外装孔部１４内に押し込まれた位置に配置されるように構成されている。
【００２６】
この場合、腕時計ケース１の貫通孔１０の大径孔部１３内には、図２〜図５に示すように、円筒状のガイド部材２１が円筒状の通気フィルタ２２を介して装着されている。このガイド部材２１は、その内径が頭部１８の外径よりも少し大きく、かつ外装孔部１４の内径よりも少し小さく形成されている。また、このガイド部材２１は、その外径が外装孔部１４の内径よりも少し大きく、かつ大径孔部１３の内径よりも小さく形成されている。さらに、このガイド部材２１は、その軸方向の長さが大径孔部１３の軸方向の長さとほぼ同じ長さに形成されている。
【００２７】
また、このガイド部材２１は、図２および図５に示すように、位置規制部によって貫通孔１０の大径孔部１３内に位置規制されるように構成されている。この位置規制部は、貫通孔１０の小径孔部１２と大径孔部１３との境界部に位置してガイド部材２１の内端部が当接する段差部１５と、貫通孔１０の大径孔部１３の外端部に位置してガイド部材２１の外端部が当接する腕時計ケース１の外装ケース３と、を備えている。
【００２８】
すなわち、この位置規制部は、図２および図５に示すように、ガイド部材２１が大径孔部１３内に通気フィルタ２２と共に嵌め込まれた際に、ガイド部材２１の内端部が貫通孔１０の段差部１５に当接し、ガイド部材２１の外端部が外装ケース３の外装孔部１４の内側縁部に当接することにより、ガイド部材２１を大径孔部１３内に位置規制するように構成されている。
【００２９】
この場合、頭部１８は、図２〜図５に示すように、その外周面に防水部材２４が設けられ、この防水部材２４がガイド部材２１の内周面に圧接した状態で摺動するように構成されている。すなわち、この防水部材２４は、リング状に形成され、頭部１８の外周面から突出した状態で環状に設けられている。これにより、防水部材２４は、ガイド部材２１の内周面に摺動可能に圧接し、この状態で頭部１８のスライド動作に伴ってガイド部材２１の内周面に沿って摺動するように構成されている。
【００３０】
また、この頭部１８の内端部１８ａ側には、図２〜図５に示すように、コイルばね２５が軸部１７の外周に沿って配置されている。すなわち、このコイルばね２５は、その一端部が貫通孔１０の小径孔部１２内に位置する防水リング２０の外端部に配置されたワッシャ２６に弾接し、他端部が頭部１８の内端部１８ａの内部に挿入されて弾接し、この状態で頭部１８を腕時計ケース１の外部に向けて押し出す方向に付勢するように構成されている。
【００３１】
ところで、このスイッチ装置８は、図２および図５に示すように、ガイド部材２１内の空気と腕時計ケース１の外部の空気とを通気させる通気路２７を備えている。すなわち、この通気路２７は、ガイド部材２１に設けられた通気部２８と、ガイド部材２１の外周面と本体ケース２の大径孔部１３の内周面との間に配置された通気フィルタ２２と、を備えている。
【００３２】
通気部２８は、図２〜図５に示すように、操作部材１１の頭部１８がガイド部材２１内に押し込まれた際に、頭部１８の内端部よりも腕時計ケース１の内部側に位置するガイド部材２１の箇所に設けられている。すなわち、この通気部２８は、本体ケース２の貫通孔１０における小径孔部１２と大径孔部１３との境界部に位置する段差部１５に当接するガイド部材２１の内端部に設けられた複数の通気溝である。この通気部２８は、ガイド部材２１の内端部における６箇所に設けられ、ガイド部材２１の内部と外部とを通気するように構成されている。
【００３３】
通気フィルタ２２は、空気などの気体や水などの液体を通過させ、泥や埃などを通過させない不織布や多孔質材などの材料からなり、図２〜図５に示すように、全体がほぼ円筒状に形成されている。この通気フィルタ２２は、その内径がガイド部材２１の外径とほぼ同じで、外径が大径孔部１３の内径とほぼ同じ大きさに形成されている。
【００３４】
また、この通気フィルタ２２は、図２〜図５に示すように、その軸方向の長さがガイド部材２１の軸方向の長さ、または大径孔部１３の軸方向の長さと同じ長さで形成されている。これにより、通気フィルタ２２は、ガイド部材２１の外周面に装着され、この状態でガイド部材２１と共に大径孔部１３内に挿入されることにより、ガイド部材２１と大径孔部１３との間に嵌め込まれるように構成されている。
【００３５】
この場合、腕時計ケース１の外部側に位置するガイド部材２１の外周部には、図２〜図５に示すように、複数の係止突起部２１ａが円周方向に沿って所定間隔で設けられている。これら複数の係止突起部２１ａは、その各外周面が大径孔部１３の内周面にそれぞれ圧接するように構成されている。これに伴って、腕時計ケース１の外部側に位置する通気フィルタ２２には、ガイド部材２１の複数の係止突起部２１ａがそれぞれ係合して外周側に露出する複数の係合溝２２ａが通気フィルタ２２の中間部から外端部に亘って設けられている。
【００３６】
このため、ガイド部材２１は、図２〜図５に示すように、その複数の係止突起部２１ａが通気フィルタ２２の複数の係合溝２２ａに嵌合した状態で、ガイド部材２１の外周面に通気フィルタ２２が装着されることにより、通気フィルタ２２の円周方向への回転を規制するように構成されている。
【００３７】
また、このガイド部材２１は、図２〜図５に示すように、その外周面に通気フィルタ２２が装着された状態で、大径孔部１３の内部に装着された際に、ガイド部材２１の複数の係止突起部２１ａが大径孔部１３の内周面にそれぞれ圧接されることにより、大径孔部１３に対するガイド部材２１の円周方向への回転が規制されるように構成されている。
【００３８】
これにより、通気路２７は、図２および図５に示すように、操作部材１１の頭部１８が本体ケース２内に向けて押し込まれる際に、ガイド部材２１内の空気が、ガイド部材２１の内端部に設けられた通気部２８を通して通気フィルタ２２に送り込まれ、この送り込まれた空気が、通気フィルタ２２を通して、ガイド部材２１の外端部と外装ケース３の内周面との間から外装孔部１４内に送り込まれ、この外装孔部１４内に送り込まれた空気が外装孔部１４の内周面と頭部１８の外周面との間を通して腕時計ケース１の外部に排出されるように構成されている。
【００３９】
また、この通気路２７は、図２および図５に示すように、操作部材１１の頭部１８がコイルばね２５のばね力によって本体ケース２の外部に向けて押し出される際に、腕時計ケース１の外部の空気が、外装孔部１４の内周面と頭部１８の外周面との間を通してガイド部材２１の外端部と外装ケース３の内周面との間に送り込まれ、この送り込まれた空気が通気フィルタ２２を通してガイド部材２１の内端部に設けられた通気部２８からガイド部材２１内に送り込まれるように構成されている。
【００４０】
次に、このような腕時計におけるスイッチ装置８の作用について説明する。
このスイッチ装置８は、通常の状態で、ガイド部材２１内に位置する操作部材１１の軸部１７の外周に沿って配置されたコイルばね２５のばね力によって、頭部１８が腕時計ケース１の外部に向けて押し出されている。
【００４１】
この状態では、本体ケース２の内部に突出している操作部材１１の軸部１７における内端部に設けられた抜止め部材１９が、貫通孔１０の第１小径孔部１２ａにおける内端部の周囲に位置する本体ケース２の内周面に当接する。また、この状態では、操作部材１１の頭部１８の内端部１８ａが貫通孔１０の段差部１５から腕時計ケース１の外部側に離れて、頭部１８の外端部１８ｂが第２筒部１８から腕時計ケース１の外部に突出している。
【００４２】
これにより、操作部材１１の軸部１７の内端部が、時計モジュール６に設けられたスイッチ接点部６ａから離れ、このスイッチ接点部６ａがオフ状態になっている。この状態で、操作部材１１の頭部１８をコイルばね２５のばね力に抗して押圧操作すると、操作部材１１の頭部１８がガイド部材２１内に押し込まれると共に、軸部１７が貫通孔１０の小径孔部１２内を本体ケース２の内部に向けてスライドする。
【００４３】
このときには、軸部１７の外周面が貫通孔１０の第２小径孔部１２ｂ内に設けられた複数の防水リング２０に圧接した状態で摺動する。同様に、頭部１８の外周面に設けられた防水部材２４がガイド部材２１の内周面に圧接した状態で摺動する。このため、防水部材２４によって頭部１８の外周面とガイド部材２１の内周面との間からガイド部材２１内に、腕時計ケース１の外部の水や泥などの異物が浸入することがなく、ガイド部材２１内の防水性および気密性が図られる。
【００４４】
また、このときには、貫通孔１０内におけるガイド部材２１と操作部材１１の頭部１８と小径孔部１２内の複数の防水リング２０とで囲われた領域であるガイド部材２１内の空気が、本体ケース２の内部に向けてスライドする頭部１８のスライドに応じて、徐々に圧縮されて、空気圧が高くなる。この圧縮された空気は、通気路２７を通して腕時計ケース１の外部に排出される。
【００４５】
すなわち、圧縮された空気は、ガイド部材２１の内端部に設けられた複数の通気溝である通気部２８からガイド部材２１の外周面と大径孔部１３の内周面との間に配置された通気フィルタ２２に送り込まれる。この送り込まれた空気は、通気フィルタ２２を通してガイド部材２１の外端部と外装ケース３の内面との間から外装孔部１４内に送り込まれる。
【００４６】
この外装孔部１４内に送り込まれた空気は、外装孔部１４の内周面と頭部１８の外周面との間から腕時計ケース１の外部に排出される。このため、貫通孔１０内におけるガイド部材２１と操作部材１１の頭部１８と小径孔部１２内の複数の防水リング２０とで囲われた領域であるガイド部材２１内の空気圧は、頭部１８がスライド動作しても、腕時計ケース１の外部の気圧とほぼ同じに保たれる。
【００４７】
これにより、操作部材１１の頭部１８を押圧操作した際に、貫通孔１０内におけるガイド部材２１と操作部材１１の頭部１８と小径孔部１２内の複数の防水リング２０とで囲われた領域であるガイド部材２１内の空気が圧縮されても、操作部材１１を円滑にかつ良好にスライドさせることができる。このときには、操作部材１１のスライドに伴って軸部１７の内端部が本体ケース２内に押し込まれ、この軸部１７の内端部によって時計モジュール６のスイッチ接点部６ａが押されてオン動作する。
【００４８】
一方、スイッチ接点部６ａが押されてオン動作した後は、ガイド部材２１内に位置する操作部材１１の軸部１７の外周に沿って配置されたコイルばね２５のばね力によって、頭部１８が腕時計ケース１の外部に向けて押し出される。このときには、操作部材１１の軸部１７が、貫通孔１０の小径孔部１２内を腕時計ケース１の外部に向けてスライドする。このときにも、軸部１７の外周面が小径孔部１２の第２小径孔部１２ｂに設けられた複数の防水リング２０に圧接した状態で摺動する。
【００４９】
また、このときにも、操作部材１１の頭部１８の外周面に設けられた防水部材２４がガイド部材２１の内周面に圧接した状態で摺動する。このため、防水部材２４によって頭部１８の外周面とガイド部材２１の内周面との間からガイド部材２１内に、腕時計ケース１の外部の水や泥などの異物が浸入することがなく、ガイド部材２１内の防水性および気密性が図られる。
【００５０】
このときには、貫通孔１０内におけるガイド部材２１と操作部材１１の頭部１８と小径孔部１２内の複数の防水リング２０とで囲われた領域であるガイド部材２１内の空気が、腕時計ケース１の外部に向けてスライドする頭部１８のスライドに応じて、徐々に膨張して、空気圧が下がる。このように空気圧が徐々に下がる際には、腕時計ケース１の外部の空気が通気路２７を通してガイド部材２１内に送り込まれる。
【００５１】
すなわち、腕時計ケース１の外部の空気は、外装孔部１４の内周面と頭部１８の外周面との間からガイド部材２１の外端部と外装ケース３の内面との間に取り込まれ、この取り込まれた空気は、通気フィルタ２２に送り込まれる。この通気フィルタ２２に送り込まれた空気は、通気フィルタ２２を通してガイド部材２１の内端部に設けられた複数の通気溝である通気部２８からガイド部材２１内に送り込まれる。
【００５２】
これにより、貫通孔１０内におけるガイド部材２１と操作部材１１の頭部１８と小径孔部１２内の複数の防水リング２０とで囲われた領域であるガイド部材２１内の空気圧は、腕時計ケース１の外部の空気が頭部１８がスライド動作に伴ってガイド部材２１内に取り込まれることにより、頭部１８がスライド動作しても、腕時計ケース１の外部の気圧とほぼ同じに保たれる。
【００５３】
このため、コイルばね２５のばね力によって操作部材１１が元の位置に戻る際には、貫通孔１０内におけるガイド部材２１と操作部材１１の頭部１８と小径孔部１２内の複数の防水リング２０とで囲われた領域であるガイド部材２１内の空気が膨張して空気圧が下っても、操作部材１１を円滑にかつ良好にスライドさせることができる。このときには、操作部材１１のスライドに伴って軸部１７の内端部が時計モジュール６のスイッチ接点部６ａから離れ、スイッチ接点部６ａがオフ状態になる。
【００５４】
このように、この腕時計のスイッチ装置８によれば、小径孔部１２と大径孔部１３とを有する貫通孔１０が設けられた腕時計ケース１と、大径孔部１３に配置された筒状のガイド部材２１と、小径孔部１２内にスライド可能に挿入する軸部１７およびガイド部材２１内にスライド可能に配置される頭部１８を有する操作部材１１と、頭部１８の外周面とガイド部材２１の内周面との間に設けられた防水部材２４と、ガイド部材２１の通気部２８およびガイド部材２１と大径孔部１３との間の通気フィルタ２２を通して、ガイド部材２１内の空気と腕時計ケース１の外部の空気とを通気させる通気路２７と、を備えているので、防水性を確保し、かつ操作性の向上を図ることができる。
【００５５】
すなわち、この腕時計のスイッチ装置８では、防水部材２４によってガイド部材２１の内周面と操作部材１１の頭部１８の外周面との間の防水性および気密性を確保することができる共に、通気部２８と通気フィルタ２２とで構成された通気路２７によって、ガイド部材２１内の空気と腕時計ケース１の外部の空気とを通気させることができるので、ガイド部材２１内の空気圧を腕時計ケース１の外部の気圧とほぼ同じに保つことができる。このため、防水部材２４によって防水性および気密性を確保しても、操作部材１１の操作性を向上させることができる。
【００５６】
また、このスイッチ装置８では、ガイド部材２１内に仮に水などの液体が浸入しても、その浸入した水などの液体を通気フィルタ２２の毛細管現象によって腕時計ケース１の外部に排出することができる。このため、ガイド部材２１内に水などの液体が溜まることがないので、防錆効果があるほか、操作部材１１の操作性を、より一層、確保することができ、これにより操作部材１１を良好にかつ円滑に操作させることができる。
【００５７】
この場合、通気部２８は、操作部材１１の頭部１８がガイド部材２１内に押し込まれた際に、頭部１８の内端部１８ａよりも腕時計ケース１の内部側に位置するガイド部材２１の箇所、つまりガイド部材２１の内端部に設けられていることにより、操作部材１１の頭部１８がガイド部材２１内をスライドしても、頭部１８によって通気部２８が塞がれることがない。このため、操作部材１１の頭部１８のスライド動作に応じて、ガイド部材２１内の空気と腕時計ケース１の外部の空気とを確実にかつ良好に通気することができる。
【００５８】
また、このスイッチ装置８では、防水部材２４が操作部材１１の頭部１８の外周に設けられ、この状態で貫通孔１０の大径孔部１３内に配置されたガイド部材２１の内周面に圧接した状態で摺動することにより、操作部材１１のスライド動作に応じて防水部材２４がガイド部材２１の内周面に沿って移動しても、ガイド部材２１の内周面と操作部材１１の頭部１８の外周面との間の防水性および気密性を確保することができる。
【００５９】
また、このスイッチ装置８では、腕時計ケース１の外部側に位置するガイド部材２１の外周部に、複数の係止突起部２１ａが円周方向に沿って設けられており、円筒状の通気フィルタ２２に、ガイド部材２１の複数の係止突起部２１ａが係合する複数の係合溝２２ａが設けられていることにより、ガイド部材２１の複数の係止突起部２１ａを通気フィルタ２２の複数の係合溝２２ａに嵌合させることができるので、ガイド部材２１の外周面に通気フィルタ２２を装着した際に、ガイド部材２１に対する通気フィルタ２２の円周方向への回転を確実にかつ良好に規制することができる。
【００６０】
この場合、複数の係止突起部２１ａは、その各外周面が大径孔部１３の内周面にそれぞれ圧接するように構成されていることにより、ガイド部材２１の外周面に通気フィルタ２２が装着された状態で、ガイド部材２１を貫通孔１０の大径孔部１３の内部に装着した際に、ガイド部材２１の複数の係止突起部２１ａを大径孔部１３の内周面にそれぞれ圧接させることができるので、大径孔部１３内に対するガイド部材２１の円周方向への回転を確実にかつ良好に規制することができ、これにより操作部材１１の頭部１８が回転した際に、その頭部１８の回転と共にガイド部材２１が回転しないようにすることができる。
【００６１】
さらに、このスイッチ装置８では、貫通孔１０の大径孔部１３に対するガイド部材２１の位置を規制する位置規制部を備えていることにより、ガイド部材２１内を操作部材１１の頭部１８がスライドする際に、位置規制部によってガイド部材２１が頭部１８と共に軸方向に移動するのを確実にかつ良好に防ぐことができる。
【００６２】
すなわち、この位置規制部は、貫通孔１０の小径孔部１２と大径孔部１３との境界部に位置してガイド部材２１の内端部が当接する段差部１５と、貫通孔１０の大径孔部１３の外端部に位置してガイド部材２１の外端部が当接する腕時計ケース１の外装ケース３と、を備えていることにより、貫通孔１０の段差部１５にガイド部材２１の内端部を当接させることができると共に、腕時計ケース１の外装ケース３の内面にガイド部材２１の外端部を当接させることができるので、ガイド部材２１が頭部１８と共に軸方向に移動するのを確実にかつ良好に防ぐことができる。
【００６３】
なお、上述した第１実施形態では、操作部材１１の頭部１８の外周部に防水部材２４を設け、この防水部材２４をガイド部材２１の内周面に摺動可能に圧接させた場合について述べたが、これに限らず、例えばガイド部材２１の内周面に防水部材２４を設け、この防水部材２４を操作部材１１の頭部１８の外周面に摺動可能に圧接させた構成であっても良い。
【００６４】
（第２実施形態）
次に、図６〜図１０を参照して、この発明を腕時計に適用した第２実施形態について説明する。なお、図１〜図５に示された第１実施形態と同一部分には同一符号を付して説明する。
この腕時計のスイッチ装置３４は、図６〜図１０に示すように、ガイド部材３５と通気フィルタ３６とが第１実施形態と異なる構成であり、これ以外は第１実施形態とほぼ同じ構成になっている。
【００６５】
この場合、操作部材１１の頭部３７は、図６〜図９に示すように、腕時計ケース１の内部側が小径部３７ａに形成され、腕時計ケース１の外部側が大径部３７ｂに形成されている。この頭部３７の大径部３７ｂは、その外径が小径部３７ａの外径よりも大きく、かつ貫通孔１０の外装孔部１４の内径よりも少し小さく形成されている。
【００６６】
また、この大径部３７ｂは、図６および図９に示すように、その軸方向の長さが外装孔部１４の軸方向の長さとほぼ同じ長さで形成されている。これにより、頭部３７は、小径部３７ａが貫通孔１０の大径孔部１３と外装ケース３の外装孔部１４との両方に跨って配置され、大径部３７ｂが外装孔部１４内に出没可能に配置されるように構成されている。
【００６７】
ガイド部材３５は、図６〜図９に示すように、ほぼ円筒状に形成され、その内径が頭部３７の小径部３７ａの外径よりも少し大きく、かつ大径部３７ｂの外径よりも少し小さく形成されている。また、このガイド部材３５は、その外径が外装孔部１４の内径よりも少し大きく、かつ大径孔部１３の内径よりも小さく形成されている。このガイド部材３５は、その軸方向の長さが大径孔部１３の軸方向の長さとほぼ同じ長さで形成されている。
【００６８】
これにより、ガイド部材３５は、図６〜図９に示すように、貫通孔１０の大径孔部１３内に挿入されて配置された際に、その内端部が貫通孔１０の小径孔部１２と大径孔部１３との境界部に位置する段差部１５に当接するように構成されている。このガイド部材３５の内端部には、第１実施形態と同様、通気部２８が設けられている。この通気部２８も、複数の通気溝であり、ガイド部材３５の内部と外部とを通気するように構成されている。
【００６９】
また、このガイド部材３５は、図６〜図９に示すように、その肉厚が第１実施形態のガイド部材２１の肉厚よりも厚く形成されている。これにより、このガイド部材３５の内周面には、防水部材３８が設けられている。この防水部材３８は、ガイド部材３５の内周面に取り付けられた状態で、頭部３７の小径部３７ａの外周面に圧接し、この状態で小径部３７ａの外周面が摺動するように構成されている。
【００７０】
また、このガイド部材３５の外端部には、図７〜図１０に示すように、フランジ部４０が外周面から径方向に突出して設けられている。このフランジ部４０は、その外径が貫通孔１０の大径孔部１３の内径とほぼ同じ大きさに形成されている。これにより、ガイド部材３５は、図９に示すように、貫通孔１０の大径孔部１３内に配置された際に、フランジ部４０の外周面が大径孔部１３の内周面に接触または圧接した状態で嵌合して配置されるように構成されている。
【００７１】
このため、フランジ部４０は、図６〜図９に示すように、ガイド部材３５が大径孔部１３内に配置された際に、ガイド部材３５の外周面と大径孔部１３の内周面との間に円筒形状の隙間を形成し、この隙間に通気フィルタ３６が配置されるように構成されている。この通気フィルタ３６は、第１実施形態と同様、空気などの気体や水などの液体を通過させ、泥や埃などを通過させない不織布や多孔質材などの材料からなり、全体が円筒状に形成されている。この通気フィルタ３６は、その内径がガイド部材３６の外径とほぼ同じで、外径が大径孔部１３の内径とほぼ同じ大きさに形成されている。
【００７２】
また、この通気フィルタ３６は、図６〜図９に示すように、その軸方向の長さがガイド部材３６の軸方向の長さ、または大径孔部１３の軸方向の長さよりも少し短い長さ、つまりフランジ部４０の軸方向の長さ（厚み）だけ短い長さで形成されている。これにより、通気フィルタ３６は、ガイド部材３５の外周面に装着され、この状態でガイド部材３５と共に大径孔部１３内に挿入されることにより、ガイド部材３５と大径孔部１３との間の隙間に嵌め込まれて配置されるように構成されている。
【００７３】
この場合、ガイド部材３５のフランジ部４０には、図６〜図１０に示すように、通気フィルタ３６の外端部の一部を外部に露呈させるための複数の切欠き部４０ａが設けられている。これにより、通気路２７は、通気フィルタ３６の外端部がガイド部材３５のフランジ部４０で塞がれていても、ガイド部材３５の通気部２８、通気フィルタ３６、およびフランジ部４０の複数の切欠き部４０ａを通して、ガイド部材３５内の空気と腕時計ケース１の外部の空気とを通気させるように構成されている。
【００７４】
すなわち、この通気路２７は、図６に示すように、操作部材１１の頭部３７が本体ケース２内に向けて押し込まれる際に、ガイド部材３５内の空気が、ガイド部材３５の内端部に設けられた通気部２８を通して通気フィルタ３６に送り込まれ、この送り込まれた空気が、通気フィルタ３６を通り、ガイド部材３５１のフランジ部４０に設けられた複数の切欠き部４０ａからガイド部材３５の外端部と外装ケース３の内周面との間に送り込まれ、この送り込まれた空気が外装孔部１４内を経て外装孔部１４の内周面と頭部３７の外周面との間から腕時計ケース１の外部に排出されるように構成されている。
【００７５】
また、この通気路２７は、図６に示すように、操作部材１１の頭部３７がコイルばね２５のばね力によって本体ケース２の外部に向けて押し出される際に、腕時計ケース１の外部の空気が、外装孔部１４の内周面と頭部３７の外周面との間を通して外装孔部１４内に送り込まれ、この送り込まれた空気がガイド部材３５の外端部と外装ケース３の内周面との間を経てフランジ部４０の複数の切欠き部４０ａから通気フィルタ３６に送り込まれ、この通気フィルタ３６を通してガイド部材３５の内端部に設けられた通気部２８からガイド部材３５内に送り込まれるように構成されている。
【００７６】
また、このガイド部材３５は、第１実施形態と同様、その軸方向の位置が位置規制部によって位置規制されている。すなわち、この位置規制部も、ガイド部材２１の内端部が当接する貫通孔１０の段差部１５と、ガイド部材３５のフランジ部４０の外端面が当接する外装孔部１４の周囲に位置する外装ケース３の内面と、で構成されている。
【００７７】
これにより、この位置規制部も、図６および図９に示すように、ガイド部材３５の外端部に設けられたフランジ部４０が貫通孔１０の大径孔部１３内に嵌め込まれて、ガイド部材３５の内端部が貫通孔１０の段差部１５に当接し、フランジ部４０の外端面が外装孔部１４の周囲に位置する外装ケース３の内面に当接することにより、軸方向に移動しないように構成されている。
【００７８】
このような腕時計のスイッチ装置３４によれば、第１実施形態と同様、防水部材３８によってガイド部材３５の内周面と操作部材１１の頭部３７の外周面との間の防水性および気密性を確保することができる共に、通気部２８と通気フィルタ３６とフランジ部４０の複数の切欠き部４０ａとで構成された通気路２７によって、ガイド部材３５内の空気と腕時計ケース１の外部の空気とを通気させることができるので、ガイド部材３５内の空気圧を腕時計ケース１の外部の気圧とほぼ同じに保つことができる。このため、防水部材３８によって防水性および気密性を確保しても、操作部材１１の操作性を向上させることができる。
【００７９】
また、このスイッチ装置３４においても、第１実施形態と同様、ガイド部材３５内に仮に水などの液体が浸入しても、その浸入した水などの液体を通気フィルタ３６の毛細管現象によって腕時計ケース１の外部に排出することができる。このため、ガイド部材３５内に水などの液体が溜まることがないので、防錆効果があるほか、操作部材１１の操作性を、より一層、確保することができ、これにより操作部材１１を良好にかつ円滑に操作させることができる。
【００８０】
この場合、通気部２８は、操作部材１１の頭部３７がガイド部材３５内に押し込まれた際に、頭部３７の内端部よりも腕時計ケース１の内部側に位置するガイド部材３５の箇所、つまりガイド部材３５の内端部に設けられていることにより、第１実施形態と同様、操作部材１１の頭部３７がガイド部材３５内をスライドしても、頭部３７によって通気部２８が塞がれることがない。このため、操作部材１１の頭部３７のスライド動作に応じて、ガイド部材３５内の空気と腕時計ケース１の外部の空気とを確実にかつ良好に通気することができる。
【００８１】
また、このスイッチ装置３４では、防水部材３８がガイド部材３５の内周面に設けられ、かつ操作部材１１の頭部３７の外周面に圧接した状態で、頭部３７の外周面が摺動することにより、第１実施形態と同様、操作部材１１のスライド動作に応じて頭部３７の外周面が防水部材３８に対して移動しても、ガイド部材３５の内周面と操作部材１１の頭部３７の外周面との間の防水性および気密性を確保することができる。
【００８２】
さらに、このスイッチ装置３４では、ガイド部材３５の外端部に貫通孔１０の大径孔部１３に嵌合するフランジ部４０が設けられていることにより、ガイド部材３５を大径孔部１３内に配置した際に、フランジ部４０の外周面を大径孔部１３の内周面に接触または圧接させた状態で配置することができる。これにより、ガイド部材３５の外周面と大径孔部１３の内周面との間に円筒状の隙間を形成することができるので、この隙間に通気フィルタ３６を確実にかつ良好に配置することができる。
【００８３】
この場合、ガイド部材３５のフランジ部４０には、通気フィルタ３６の外端部の一部を外部に露呈させる複数の切欠き部４０ａが設けられていることにより、通気フィルタ３６の外端部がガイド部材３５のフランジ部４０で塞がれていても、複数の切欠き部４０ａによって通気フィルタ３６の外端部の一部を外部に露呈させることができる。
【００８４】
このため、通気路２７をガイド部材３５の通気部２８、通気フィルタ３６、およびフランジ部４０の複数の切欠き部４０ａによって構成することができるので、ガイド部材３５の通気部２８、通気フィルタ３６、およびフランジ部４０の複数の切欠き部４０ａを通して、ガイド部材３５内の空気と腕時計ケース１の外部の空気とを通気させることができ、これにより第１実施形態と同様、ガイド部材３５内の空気圧を腕時計ケース１の外部の気圧とほぼ同じに保つことができる。
【００８５】
また、このスイッチ装置３４においても、第１実施形態と同様、貫通孔１０の大径孔部１３に対するガイド部材３５の位置を規制する位置規制部を備えていることにより、ガイド部材３５内を操作部材１１の頭部３７がスライドする際に、位置規制部によってガイド部材３５が頭部３７と共に軸方向に移動するのを確実にかつ良好に防ぐことができる。
【００８６】
すなわち、この位置規制部も、第１実施形態と同様、貫通孔１０の小径孔部１２と大径孔部１３との境界部に位置してガイド部材３５の内端部が当接する段差部１５と、貫通孔１０の大径孔部１３の外端部に位置してガイド部材３５の外端部が当接する腕時計ケース１の外装ケース３と、を備えていることにより、貫通孔１０の段差部１５にガイド部材３５の内端部を当接させることができると共に、腕時計ケース１の外装ケース３の内面にガイド部材３５の外端部を当接させることができるので、ガイド部材３５が頭部３７と共に軸方向に移動するのを確実にかつ良好に防ぐことができる。
【００８７】
なお、上述した第２実施形態では、ガイド部材３５の内周面に防水部材３８を設け、この防水部材３８を操作部材１１の頭部３７の外周面に摺動可能に圧接させた場合について述べたが、これに限らず、例えば操作部材１１の頭部３７の外周面に防水部材３８を設け、この防水部材３８をガイド部材３５の内周面に摺動可能に圧接させた構成であっても良い。
【００８８】
また、上述した第１、第２の各実施形態では、通気路２７の通気部２８がガイド部材２１、３５の内端部に設けられた複数の通気溝である場合について述べたが、必ずしもガイド部材２１、３５の内端部に設ける必要はなく、操作部材１１の頭部１８、３７がガイド部材２１、３５内に押し込まれた際に、頭部１８、３７の内端部よりも腕時計ケース１の内部側に位置するガイド部材２１、３５の箇所に複数の通気孔を設けた構成であっても良い。
【００８９】
また、上述した第１、第２の各実施形態では、通気フィルタ２２、３６は、空気などの気体や水などの液体を通過させ、泥や埃などを通過させない不織布や多孔質材などの材料からなる場合について述べたが、通気フィルタ２２、３６は、空気などの気体を通過させ、水などの液体や泥や埃などの異物を通過させない材料であっても良い。
【００９０】
また、上述した第１、第２の各実施形態では、腕時計ケース１の３時側に位置するスイッチ装置８、３４に適用した場合について述べたが、これに限らず、腕時計ケース１に設けられた各押釦スイッチ９を含む全てのスイッチに適用しても良く、一部のスイッチに適用しても良い。
【００９１】
さらに、上述した第１、第２の各実施形態では、腕時計に適用した場合について述べたが、必ずしも腕時計である必要はなく、例えばトラベルウオッチ、目覚まし時計、置き時計、掛け時計などの各種の時計に適用することができる。また、必ずしも時計に限らず、例えば携帯電話機や携帯情報端末機などの電子機器にも広く適用することができる。
【００９２】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００９３】
（付記）
請求項１に記載の発明は、小径孔部および大径孔部を有する貫通孔が設けられたケースと、このケースの前記大径孔部に配置された筒状のガイド部材と、前記ケースの前記小径孔部内にスライド可能に挿入する軸部および前記ガイド部材内にスライド可能に配置される頭部を有する操作部材と、この操作部材の前記頭部の外周面と前記ガイド部材の内周面との間に設けられた防水部材と、前記ガイド部材の内部と外部とを通気する通気部および前記ガイド部材の外周面と前記ケースの前記大径孔部の内周面との間に配置された通気フィルタを通して、前記ガイド部材内の空気と前記ケースの外部の空気とを通気させる通気路と、を備えていることを特徴とするスイッチ装置である。
【００９４】
請求項２に記載の発明は、請求項１に記載のスイッチ装置において、前記通気部は、前記操作部材の前記頭部の内端部よりも前記ケースの内部側に位置する前記ガイド部材の箇所に設けられていることを特徴とするスイッチ装置である。
【００９５】
請求項３に記載の発明は、請求項１または請求項２に記載のスイッチ装置において、前記防水部材は、前記操作部材の前記頭部の外周に設けられ、この状態で前記ガイド部材の内周面に摺動可能に圧接することを特徴とするスイッチ装置である。
【００９６】
請求項４に記載の発明は、請求項１または請求項２に記載のスイッチ装置において、前記防水部材は、前記ガイド部材の内周面に設けられ、この状態で前記操作部材の前記頭部の外周面に摺動可能に圧接することを特徴とするスイッチ装置である。
【００９７】
請求項５に記載の発明は、請求項１〜請求項３のいずれかに記載のスイッチ装置において、前記ケースの外部側に位置する前記ガイド部材の外周部には、複数の係止突起部が円周方向に沿って設けられており、前記通気フィルタは、ほぼ筒状に形成され、かつ前記ガイド部材の前記複数の係止突起部が係合する複数の係合溝を有していることを特徴とするスイッチ装置である。
【００９８】
請求項６に記載の発明は、請求項１、請求項２または請求項４のいずれかに記載のスイッチ装置において、前記ガイド部材の外端部には、前記ケースの前記大径孔部に嵌合するフランジ部が設けられていることを特徴とするスイッチ装置である。
【００９９】
請求項７に記載の発明は、請求項６に記載のスイッチ装置において、前記ガイド部材の前記フランジ部には、前記通気フィルタの外端部の一部を外部に露呈させる切欠き部が設けられていることを特徴とするスイッチ装置である。
【０１００】
請求項８に記載の発明は、請求項１〜請求項７のいずれかに記載されたスイッチ装置を備えていることを特徴とする時計である。
【符号の説明】
【０１０１】
１  腕時計ケース
２  本体ケース
３  外装ケース
６  時計モジュール
６ａ  スイッチ接点部
８、３４  スイッチ装置
１０  貫通孔
１１  操作部材
１２  小径孔部
１３  大径孔部
１４  外装孔部
１５  段差部
１７  軸部
１８、３７  頭部
１９  抜止め部材
２１、３５  ガイド部材
２１ａ  係止突起部
２２、３６  通気フィルタ
２２ａ  係合溝
２３  位置規制部
２４、３８  防水部材
２５  コイルばね
２７  通気路
２８  通気部
４０  フランジ部
４０ａ  切欠き部
【図１】
0006642812.tif 000002
【図２】
0006642812.tif 000003
【図３】
0006642812.tif 000004
【図４】
0006642812.tif 000005
【図５】
0006642812.tif 000006
【図６】
0006642812.tif 000007
【図７】
0006642812.tif 000008
【図８】
0006642812.tif 000009
【図９】
0006642812.tif 000010
【図１０】
0006642812.tif 000011